(57)【要約】【課題】スライド軸の軸受への嵌合が容易で外れにくく確実に固定することができるとともに、スライド軸を軸受から取り外す場合、どのような位置からでも容易に取り外すことができるようにする。また、手動による開閉パネルの開閉操作時の感触を改善するとともに、耐久性に富み、少スペース化とコストダウンを図る。【解決手段】並列する２つの同じ大きさの嵌合部１１、１２と、この２つの嵌合部１１、１２間を連通するくびれ部１３とからなる可撓性を有する軸受１と、この軸受１の嵌合部１１または１２へ嵌入し、くびれ部１３を通じて２つの嵌合部１１、１２間をスライド移動する弾性を有するスライド軸２とを備える。【選択図】  図１
2005193837.tif 000002
【特許請求の範囲】
【請求項１】
並列する２つの同じ大きさの嵌合部と、２つの嵌合部間を連通するくびれ部とからなる可撓性を有する軸受と、
この軸受の嵌合部へ嵌入した後、くびれ部を通じて２つの嵌合部間をスライド移動する弾性を有するスライド軸と
を備えたこと特徴とするスライド機構。
【請求項２】
前記軸受の２つの嵌合部は、同じ大きさでかつ円形状に形成するとともに、この２つの嵌合部間をくびれ部で連通させたことを特徴とする請求項１記載のスライド機構。
【請求項３】
前記スライド軸は、軸方向に貫通させた中空部を有する弾性体で形成したことを特徴とする請求項１記載のスライド機構。
【請求項４】
前記スライド軸は、多角形の弾性体で形成したことを特徴とする請求項１または３記載のスライド機構。
【請求項５】
装置本体の前面に取り付けた前面パネルと、この前面パネルを手動操作で覆い隠した閉状態、または開放状態とするように配置した開閉パネルとを備えた開閉パネル装置において、
並列する２つの同じ大きさの嵌合部と、２つの嵌合部間を連通するくびれ部とからなる可撓性を有する軸受と、
この軸受の嵌合部へ嵌入した後、くびれ部を通じて２つの嵌合部間をスライド移動する弾性を有するスライド軸とでスライド機構を構成し、
このスライド機構の軸受とスライド軸とを開閉パネルの背面側と前面パネル側とにそれぞれ対向させて配置したことを特徴とする開閉パネル装置。
【請求項６】
前記スライド機構の軸受とスライド軸とを開閉パネルの背面側と前面パネル側とに複数組配置したことを特徴とする請求項５記載の開閉パネル装置。
【請求項７】
前記軸受とスライド軸とで構成したスライド機構の近傍に、スライド軸のスライド移動方向と同一方向にスライド移動する係合溝を有する受け枠とガイドレールとからなるガイド機構を設けたことを特徴とする請求項５記載の開閉パネル装置。
【請求項８】
装置本体の前面に取り付けた前面パネルと、この前面パネルを手動操作で覆い隠した閉状態、または開放状態とするように配置した開閉パネルとを備えた開閉パネル装置において、
所定の間隔を置いて平行に配置した非対称の波形状に形成した一対の軸受レールと、この一対の軸受レール間に挟み込まれた状態でスライド移動する弾性を有する一対のスライド軸とでスライド機構を構成し、
このスライド機構の一対の軸受レールおよびスライド軸を開閉パネルの背面側と前面パネル側とにそれぞれ配置したことを特徴とする開閉パネル装置。
【発明の詳細な説明】
【技術分野】
【０００１】
本発明は、パネルの開閉やスイッチのオン・オフ、あるいは電子部品の固定や取り外し等に用いるスライド機構、およびそのスライド機構を用いた開閉パネル装置に係るものであり、特に、カーオーディオ等の電子機器において、装置本体の前面パネルを覆うように配置された開閉パネルを手動操作で開閉するのに好適なスライド機構およびそのスライド機構を用いた開閉パネル装置に関するものである。
【背景技術】
【０００２】
従来、車載用ＣＤプレーヤなどの電子機器には、装置本体の前面に取り付けた前面パネルに各種操作キーや表示部、あるいはＣＤ等の情報記録媒体を挿入する挿入口が設けられている。しかし、近年、電子機器の多機能化にともなって、操作キーの数の増加や表示部が大型化し、その全てを１つのパネル面へ配置することが困難となった。
【０００３】
そこで、従来の電子機器においては、この多機能化に対応するために、前面パネルを覆うように配置された開閉パネルを設けている。このような開閉パネルを設けることにより、例えば、前面パネルを覆った開閉パネルを表示部や操作キーを配置する領域として活用することができ、ＣＤ等の情報記録媒体の挿入、排出時のみ、開閉パネルを開くように操作して、前面パネルに設けた情報記録媒体の挿入口を露出させるように構成することによって、限られたスペース内に多くの操作キーや比較的大型の表示部を配置できるようにしていた。
【０００４】
ところで、上述した従来の開閉パネル装置を設けた電子機器の内、特に、開閉パネルの開閉時に、手動で開閉操作を行なう開閉機構を備えた電子機器では、開閉機構に合成樹脂の弾性特性を利用したヒンジ部を構成し、開閉パネルの開閉を行なうようにしたものがあった（例えば、特許文献１参照）。
【０００５】
また、従来の手動で開閉操作する開閉機構には、コイルバネや板バネ等の弾発力を利用した機構が多く使用されていた（例えば、特許文献２参照）。
【特許文献１】特開平７−２９３９２６号公報（第１−３頁、第１図）
【特許文献２】特開２０００−７６８３８号公報（第１−４頁、第１図）
【発明の開示】
【発明が解決しようとする課題】
【０００６】
上述した開閉パネルの開閉機構に合成樹脂の弾性特性を利用したヒンジ部を構成した従来のもにあっては、開閉パネルを手動で開閉操作した時に、ヒンジ部がスムーズに動作せず、開閉操作時の感触が悪く、また耐久性に欠けるという問題点があった。
【０００７】
また、開閉機構に、コイルバネや板バネを使用したものにあっては、限られたスペース内に配置することは困難であり、機構全体の形状をコンパクトにまとめる上での妨げとなり、組み立て時の作業性も悪く、コスト高となる問題点があった。
【０００８】
本発明のスライド機構は、従来の技術の有するこのような問題点に鑑みてなされたものであって、その目的とするところは、スライド軸の軸受への嵌合が容易で外れにくく確実に固定することができるとともに、スライド軸を軸受から取り外す場合、どのような位置からでも容易に取り外すことができ、また、構造の単純化を可能とし、耐久性に富み、少スペース化とコストダウンを図ることができるスライド機構を提供しようとするものである。
【０００９】
また、本発明のスライド機構を用いる開閉パネル装置は、手動による開閉パネルの開閉操作時の感触を改善することができるとともに、耐久性に富み、少スペース化とコストダウンを図ることを目的としている。
【課題を解決するための手段】
【００１０】
上記の目的を達成するために、本発明のスライド機構においては、並列する２つの同じ大きさの嵌合部と、この２つの嵌合部間を連通するくびれ部とからなる可撓性を有する軸受と、この軸受の嵌合部へ嵌入した後、くびれ部を通じて２つの嵌合部間をスライド移動する弾性を有するスライド軸とを備えたものである。
【００１１】
また、上記スライド機構における軸受の２つの嵌合部は、同じ大きさでかつ円形状に形成するとともに、この２つの嵌合部間をくびれ部で連通させるように構成することが好ましい。
【００１２】
さらに、上記スライド機構のスライド軸は、軸方向に貫通させた中空部を有する弾性体で形成することが効果的である。
【００１３】
また、上記スライド機構のスライド軸は、多角形の弾性体で形成することもできる。
【００１４】
また、本発明のスライド機構を用いた開閉パネル装置においては、装置本体の前面に取り付けた前面パネルと、この前面パネルを手動操作で覆い隠した閉状態、または開放状態とするように配置した開閉パネルとを備えた開閉パネル装置において、並列する２つの同じ大きさの嵌合部と、この２つの嵌合部間を連通するくびれ部とからなる可撓性を有する軸受と、この軸受の嵌合部へ嵌入した後、くびれ部を通じて２つの嵌合部間をスライド移動する弾性を有するスライド軸とでスライド機構を構成し、このスライド機構の軸受とスライド軸とを開閉パネルの背面側と前面パネル側とにそれぞれ対向させて配置したものである。
【００１５】
また、上記開閉パネル装置に用いたスライド機構の軸受とスライド軸とを開閉パネルの背面側と前面パネル側とに複数組配置することが効果的である。
【００１６】
さらに、上記軸受とスライド軸とで構成したスライド機構の近傍に、スライド軸のスライド移動方向と同一方向にスライド移動する係合溝を有する受け枠とガイドレールとからなるガイド機構を設けることが好ましい。
【００１７】
また、本発明の開閉パネル装置においては、装置本体の前面に取り付けた前面パネルと、この前面パネルを手動操作で覆い隠した閉状態、または開放状態とするように配置した開閉パネルとを備えた開閉パネル装置において、所定の間隔を置いて平行に配置した非対称の波形状に形成した一対の軸受レールと、この一対の軸受レール間に挟み込まれた状態でスライド移動する弾性を有する一対のスライド軸とでスライド機構を構成し、このスライド機構の一対の軸受レールおよびスライド軸を開閉パネルの背面側と前面パネル側とにそれぞれ配置したものである。
【発明の効果】
【００１８】
本発明のスライド機構は、スライド軸の軸受への嵌合が容易で外れにくく確実に固定することができるとともに、スライド軸を軸受から取り外す場合、どのような位置からでも容易に取り外すことができる。また、構造を著しく単純化することが可能となるため、耐久性に富み、少スペース化とコストダウンを図ることができる。
【００１９】
また、本発明のスライド機構を用いる開閉パネル装置は、手動による開閉パネルの開閉操作時の感触を改善することができるとともに、耐久性に富み、少スペース化とコストダウンを図ることができる。
【発明を実施するための最良の形態】
【００２０】
カーオーディオ等の装置本体の前面に取り付けた前面パネルと、この前面パネルを手動操作で覆い隠した閉状態、または開放状態とするように配置した開閉パネルとを備えた開閉パネル装置において、並列する２つの同じ大きさの嵌合部と、この２つの嵌合部間を連通するくびれ部とからなる可撓性を有する軸受と、この軸受の嵌合部へ嵌入した後、くびれ部を通じて２つの嵌合部間をスライド移動する弾性を有するスライド軸とでスライド機構を構成し、このスライド機構の軸受とスライド軸とを開閉パネルの背面側と前面パネル側とにそれぞれ対向させて配置する。
【実施例１】
【００２１】
本発明のスライド機構の実施例を図１の（ａ）および（ｂ）を参照して説明する。
図１の（ａ）および（ｂ）は、スライド機構の要部構成を示す一部分断面した正面図である。また、図１の（ａ）は、このスライド機構を開閉パネル装置に用いた場合を例に挙げると、開閉パネルが開放状態に位置するときの状態を示し、図１の（ｂ）は、開閉パネルが閉状態に位置するときの状態を示している。
【００２２】
図１の（ａ）および（ｂ）において、１は可撓性を有する軸受である。この軸受１は、例えば、カースオーディオ等の装置本体の前面に取り付けた前面パネルを覆い隠した閉状態、または開放状態とする開閉パネルの背面側にビス止め、あるいは接着等の固定手段で取り付けられる。
【００２３】
この軸受１は、並列する２つの同じ大きさのほぼ円形状に形成した嵌合部１１および嵌合部１２を設けている。さらに、軸受１の２つの嵌合部１１、１２の間には、この２つの嵌合部１１、１２の間を連通するくびれ部１３を設けている。
【００２４】
上記２つの嵌合部１１、１２は、後述する弾性を有するスライド軸２の外形よりも若干小さい径で形成した内周壁面１４、１５を設けている。したがって、スライド軸２を一方の嵌合部１１（または、嵌合部１２）へ嵌入する際には、スライド軸２を嵌合部１１（または嵌合部１２）へ押し込み、スライド軸２を若干圧縮変形させた状態で嵌合部１１に嵌合し、固定された状態となる。
【００２５】
また、くびれ部１３は、スライド軸２の外形よりも小さい寸法でくびれた通路１６を形成し、スライド軸２のスライド移動を制約するように形成している。したがって、このくびれ部１３に形成した通路１６を通じてスライド軸２を嵌合部１２（または嵌合部１１）へスライド移動させる場合には、スライド軸２を圧縮変形させるだけの押圧力を要するように構成して、スライド軸２のスライド移動に対して制約を持たせるようにしている。
【００２６】
スライド軸２は、例えば、カーオーディオ等の装置本体の前面に取り付けた前面パネル側において、上述した軸受１と対向する位置にビス止め、あるいは接着等の固定手段で取り付けられる。このスライド軸２は、弾性特性を有する部材、あるいはその軸方向に貫通する中空部２１を有する断面Ｏ字形状に形成して弾性特性を有するように構成している。さらに、この中空部２１を形成するスライド軸２の外周壁面に縦にスリット（図示しない）を形成し、弾性効果を高めるように構成することも可能である。また、用途に応じて、スライド軸２を多角形に形成することも可能である。
【００２７】
以上のように構成したスライド機構において、スライド軸２を軸受１へ組み込む場合は、図１の（ａ）に示すように、軸受１の嵌合部１１へスライド軸２を押し込むように嵌入する。この時、スライド軸２は、保有する弾性により、若干圧縮変形して嵌合部１１内へ嵌合し、固定される。このスライド軸２を固定する際の保持力は、スライド軸２が若干圧縮変形したことによる反発力と、軸受１自体が保有する可撓性との相乗作用によって、スライド軸２の固定を確実なものとしている。
【００２８】
また、固定されたスライド軸２は、くびれ部１３によって、嵌合部１２方向へのスライド移動が制約されている。したがって、意識してスライド軸２（または、軸受１）に対して嵌合部１２方向への力を加え、その加えられた力によってスライド軸２がくびれ部１３の通路１６を通過することが可能な形状に圧縮変形させるとともに、くびれ部１３の通路１６を外方向に押し広げない限り、スライド軸２は嵌合部１２方向へスライド移動することはない。
【００２９】
一方、スライド軸２を図１の（ｂ）に示すように、嵌合部１１から嵌合部１２へスライド移動させる場合には、スライド軸２（または、軸受１）に対して、嵌合部１２方向の力を加える。このように、スライド軸２へスライド移動を開始するのに充分な力が加えられると、スライド軸２の外周面と嵌合部１１の内周壁面１４同士が接触した状態でくびれ部１３の通路１６方向へのスライド移動が進行し、幅の狭くなったくびれ部１３の通路１６をスライド軸２は圧縮変形するとともに、通路１６を外方向に押し広げながらその通路１６を通過する。くびれ部１３の通路１６を通過したスライド軸２は、その外周面と嵌合部１２の内周壁面１５同士を接触しながら、嵌合部１２へのスライド移動を進行して、嵌合部１２へ嵌合し、固定される。
【００３０】
以上説明したように、この実施例のスライド機構によれば、スライド軸の軸受への嵌合が容易で外れにくく、確実に固定することができるとともに、スライド軸を軸受から取り外す場合、どのような位置からでも容易に取り外すことができる。また、構造を著しく単純化することが可能となるため、耐久性に富み、少スペース化とコストダウンを図ることができる。
【実施例２】
【００３１】
次に、上述した実施例１に示すように構成したスライド機構をカーオーディオ等の電子機器の開閉パネル装置に用いた実施例について、図２を参照して説明する。
【００３２】
図２は、電子機器の装置本体Ａの前面に取り付けた前面パネル３と、この前面パネル３を手動操作で覆い隠した閉状態、または開放状態とするように配置した開閉パネル４とを備えた開閉パネル装置において、開閉パネル４を前面パネル３側へ組み付ける前に状態を示した斜視図である。
なお、以降の説明において、上述した実施例１のスライド機構の構成と同一部分には同一の符号を付し、その共通する箇所の詳細の説明は重複するため省略する。
【００３３】
図２の開閉パネル装置は、スライド機構を構成する一方の軸受１を開閉パネル４の背面側４１の中央部分にビス止め、あるいは接着等の固定手段によって、取り付けられている。また、この実施例２においては、スライド軸２の上端部に、嵌合部１２（または嵌合部１１）へ嵌合するフランジ部２２を設けている。このフランジ部２２は、スライド軸２の径よりも大径の円形に形成され、かつ軸受１の嵌合部１２へ押し込むように嵌入された際に、若干圧縮変形する大きさの径で形成されている。
【００３４】
また、この開閉パネル装置には、軸受１とスライド軸２とで構成したスライド機構の両側に、スライド軸２のスライド移動方向と同じ上下方向にスライド移動するガイド機構を備えている。このガイド機構は、前面パネル３の両サイドやや下側にガイドレール５を設けるとともに、開閉パネル４の背面側４１の両サイドやや上側に係合溝６１を有する凹字形状の受け枠６を設けている。ガイドレール５と受け枠６の取り付け位置の関係は、開閉パネル４を前面パネル３側に、矢印で示すように組み付け、スライド軸２のフランジ部２２が軸受１の嵌合部１２へ嵌合する際には、受け枠６の係合溝６１の下端部分がガイドレール５の上端部分へ係合するように配置されている。
【００３５】
以上のように構成した開閉パネル装置において、開閉パネル４を前面パネル３へ組み付ける場合は、矢印で示すように、開閉パネル４の背面側４１を前面パネル３へ接近させ、軸受１の嵌合部１２へスライド軸２のフランジ部２２を押し込むようにして嵌入させて嵌合し、固定する。この時、前面パネル３の上部に設けたＣＤ等の情報記録媒体の挿入、排出口７を覆い隠した閉状態となる。
【００３６】
一方、開閉パネル４の上部を手で押し下げると、軸受１の嵌合部１２へ嵌合していたフランジ部２２は、スライド移動してくびれ部１３を通過し、嵌合部１１へ嵌合し固定される。このフランジ部２２のスライド移動の際には、受け枠６の係合溝６１とガイドレール５との係合により、開閉パネル４の両側が位置決めされた状態で下降し、フランジ部２２のスライド移動をスムーズに行なうことができる。したがって、開閉パネル４は、その全体を垂直に下降し、フランジ部２２が嵌合部１２へ嵌合し、固定されることにより、前面パネル３に設けた情報記録媒体の挿入、排出口７を露出させた開放状態にすることができる。
【００３７】
以上説明したように、この実施例２の開閉パネル装置によれば、手動による開閉パネルの開閉操作時の感触を改善することができるとともに、耐久性に富み、少スペース化とコストダウンを図ることができる。
なお、この実施例２では、前面パネル３側にスライド軸２を設けるとともに、開閉パネル４側に軸受１を設けた場合について説明したが、これとは全く逆に、前面パネル３側に軸受１を設け、開閉パネル４側にスライド軸２を設けた場合も、全く同様の効果を得ることができる。
【実施例３】
【００３８】
次に、開閉パネル装置の他の実施例を図３の（ａ）を参照して説明する。
図３の（ａ）は、開閉パネル４を背面側４１から見た状態を示すものである。この図３の（ａ）の実施例においては、実施例１で述べたスライド機構を２組使用したことを特長としている。
【００３９】
この２組のスライド機構は、開閉パネル４の背面側４１に嵌合部１１、１２を有する２つの軸受１を所定の間隔を置いて並列に取り付けている。また、前面パネル側（図示しない）には、２つのスライド軸２を所定の間隔を置いて配置し、各軸受１に嵌合するように取り付けている。
【００４０】
このようにスライド機構を構成することによって、図３の（ａ）で示すように、各スライド軸２が各軸受１の上側の嵌合部１１と嵌合した状態にあるときは、開閉パネル４が前面パネルを開放した状態となる。一方、開閉パネル４が手動操作で押し上げられて上方向に移動し、各スライド軸２が各軸受１の下側の嵌合部１２と嵌合した状態にあるときは、開閉パネル４が前面パネルを覆い隠した状態となる。
【００４１】
このように２組のスライド機構を用いることによって、実施例２で使用したガイドレール５と受け枠６とで構成したガイド機構を用いる必要がなく、より確実に開閉パネル４の開閉動作を行なわせることができる。
なお、この実施例３では、開閉パネル４側に軸受１を設けるとともに、前面パネル側にスライド軸２を設けた場合について説明したが、これとは全く逆に、開閉パネル４側にスライド軸２を設け、前面パネル側に軸受１を設けた場合も、全く同様の効果を得ることができる。
【実施例４】
【００４２】
次に、図３の（ｂ）示す開閉パネル装置の他の実施例について説明する。
この図３の（ｂ）は、開閉パネル４を背面側４１から見た状態を示す背面図である。
この図３の（ｂ）に示すスライド機構は、開閉パネル４の背面側４１に、非対称の波形状に形成した一対の軸受レール８を所定の間隔を置いて並列に取り付けている。また、前面パネル（図示しない）側には、両軸受レール８間に挟み込まれた状態でスライド移動する弾性を有する一対のスライド軸２を取り付けている。
【００４３】
このスライド機構の一対の軸受レール８は、実施例１で述べた軸受１嵌合部１１、１２に該当する外側に湾曲した係止湾曲部８１、８２を形成している。さらに、この両係止湾曲部８１，８２の間には、実施例１で述べたくびれ部１３に該当する内側に湾曲した制約湾曲部８３が形成され、両スライド軸２のスライド移動を制約するように構成している。このように、両スライド軸２は、一対の軸受レール８の間に挟み込まれるように前面パネル側に一定の間隔を設けて取り付けられている。
【００４４】
このようにスライド機構を構成することによって、図３の（ｂ）で示すようにスライド軸２が軸受レール８の上側と接触する位置にあるときは、開閉パネル４が前面パネルを開放した状態となり、また、開閉パネル４が手動操作で押し上げられて上方向に移動したときは、スライド軸２が軸受レール８の下側と接触する位置にあるため、開閉パネル４が前面パネルを覆い隠した状態となる。
スライド機構をこのように構成することによって、構造を極めて簡単にすることができ、耐久性の向上と、製造コストの削減を図ることができる。
なお、この実施例４では、開閉パネル４側に軸受レール８を設けるとともに、前面パネル側にスライド軸２を設けた場合について説明したが、これとは全く逆に、開閉パネル４側にスライド軸２を設け、前面パネル側に軸受レール８を設けた場合も、全く同様の効果を得ることができる。
【実施例５】
【００４５】
上述した本発明に係るスライド機構の用途は、開閉パネル装置に限定されるものではなく、可動部の制約を必要とするスイッチ機構、あるいは電子部品の固定・取り外し機構等へ用いることが可能である。
【図面の簡単な説明】
【００４６】
【図１】本発明に係るスライド機構の実施例の要部構成を示す一部分断面した正面図である。
【図２】本発明に係る開閉パネル装置の開閉パネルを前面パネル側へ組み付ける前の状態を示した斜視図である。
【図３】本発明に係る開閉パネル装置の開閉パネルを背面側から見た状態を示す背面図である。
【符号の説明】
【００４７】
１      軸受
１１    嵌合部
１２    嵌合部
１３    くびれ部
１４    内周壁面
１５    内周壁面
１６    通路
２      スライド軸
２１    中空部
２２    フランジ部
３      前面パネル
４      開閉パネル
４１    背面側
５      ガイドレール
６      受け枠
６１    係合溝
７      挿入、排出口
８      軸受レール
８１    係止湾曲部
８２    係止湾曲部
８３    制約湾曲部
Ａ      装置本体
【図１】
2005193837.tif 000003
【図２】
2005193837.tif 000004
【図３】
2005193837.tif 000005